(57)【特許請求の範囲】
【請求項１】
制御装置とリモコン装置との間で給湯制御等の各種制御に必要なデータを共用させた給湯装置のデータ補完方法であって、
前記制御装置の記憶手段側の前記データが消失しているか否かを判断し、その判断の後、前記リモコン装置の記憶手段側の前記データが消失しているか否かを判断するステップと、
前記制御装置の記憶手段側の前記データが消失している場合には、前記リモコン装置の記憶手段側にあるデータを前記制御装置に転送し、前記制御装置の前記記憶手段のデータを修復するステップと、
前記リモコン装置の記憶手段側の前記データが消失している場合には、前記制御装置の記憶手段側にあるデータを前記リモコン装置に転送し、前記リモコン装置の前記記憶手段のデータを修復するステップと、
前記制御装置及び前記リモコン装置の双方の前記記憶手段の前記データが消失している場合にはそれを表す告知出力を発するステップと、
を含むことを特徴とする給湯装置のデータ補完方法。
【請求項２】
前記制御装置と前記リモコン装置との間で通信を行う通常通信モードとは別に、前記データを送受してデータ補完を行うデータ補完モードを設定し、このデータ補完モードで前記制御装置と前記リモコン装置との間で前記データを授受することにより、消失しているデータに対するデータ補完を行うことを特徴とする請求項１記載の給湯装置のデータ補完方法。
【請求項３】
前記リモコン装置の操作頻度が低い時間帯で前記データ補完モードを実行させることを特徴とする請求項２記載の給湯装置のデータ補完方法。
【請求項４】
前記データの記憶手段は、不揮発性メモリ又はバックアップ電源によって消失防止が図られたメモリであることを特徴とする請求項１記載の給湯装置のデータ補完方法。
【請求項５】
給湯機本体側に設置された制御装置と、この制御装置と有線又は無線で連係されるリモコン装置とを備えた給湯装置であって、
前記制御装置及び前記リモコン装置に個別に設置され、制御に必要な共通のデータを記憶する記憶手段と、
前記制御装置及び前記リモコン装置に設置され、前記記憶手段に記憶している前記データの何れか一方が消失したとき、他方から消失側に前記データを転送して補完する制御を行う制御手段と、
を備え、前記制御手段は、前記制御装置の記憶手段側の前記データが消失しているか否かを判断し、その判断の後、前記リモコン装置の記憶手段側の前記データが消失しているか否かを判断し、前記制御装置の記憶手段側の前記データが消失している場合には、前記リモコン装置の記憶手段側にあるデータを前記制御装置に転送し、前記制御装置の前記記憶手段のデータを修復し、前記リモコン装置の記憶手段側の前記データが消失している場合には、前記制御装置の記憶手段側にあるデータを前記リモコン装置に転送し、前記リモコン装置の前記記憶手段のデータを修復し、前記制御装置及び前記リモコン装置の双方の前記記憶手段の前記データが消失している場合にはそれを表す告知出力を発することを特徴とする給湯装置。
【発明の詳細な説明】
【０００１】
【発明の属する技術分野】
本発明は、燃焼制御データを保全する給湯装置のデータ補完方法及び給湯装置に関する。
【０００２】
【従来の技術】
従来、給湯装置では、ＣＰＵを制御手段として燃料ガス等の燃焼制御を用いた精緻な給湯制御、温度制御、浴槽の水位制御、通信制御、故障診断制御等の各種の制御を実行している。この制御には、制御対象である「機種」、「ガス種」、「ガス圧値」、「最大燃焼量」、浴槽の「基準水位」、「燃焼時間」、「燃焼回数」、各種センサ出力値の校正データ、燃料比例弁等の校正データ、故障履歴情報等の制御に不可欠なデータがＲＡＭ等の記憶手段に格納されており、そのデータには工場出荷前に記憶したり、機器動作中に学習したもの等、様々なものがある。
【０００３】
【発明が解決しようとする課題】
ところで、制御内容が複雑化すると、故障時の対応も複雑化している。例えば、修理では、ＣＰＵやメモリを実装した電装基板を交換する場合がある。電装基板の交換では、メモリに蓄積されている各種のデータが消失することにより、電装基板交換後、交換前の正常な制御を行うことができない。正常な制御の復元には、元の電装基板から交換後の電装基板にデータを移す必要がある。この種のデータ移送には機器や各種制御の内容を熟知する等、その取扱いには相当な経験が必要であり、データ移送が不完全な場合や、誤ってデータを消去させると、パソコン等を用いてデータ修復処理を行うことが必要となり、また、データ復元が不十分な場合には、正常な制御動作を行うことができなくなる等、安全上問題がある。
【０００４】
そこで、本発明は、電装基板の交換等に伴うデータ消失による不都合を防止した給湯装置のデータ補完方法及び給湯装置を提供することを目的とする。
【０００５】
【課題を解決するための手段】
本発明の給湯装置のデータ補完方法及び給湯装置は、制御装置（１８）とリモコン装置（主リモコン装置２０、副リモコン装置２２）との間で給湯制御等の各種制御に必要なデータを共用させ、制御装置又はリモコン装置の一方でデータが消失したとき、データ修復モードを実行して他方から消失側に前記データを転送してデータ補完や、データの授受によるデータ補完を行ってデータ消失による不都合を回避したものである。
【０００６】
請求項１に係る本発明の給湯装置のデータ補完方法は、制御装置（１８）とリモコン装置（主リモコン装置２０、副リモコン装置２２）との間で給湯制御等の各種制御に必要なデータを共用させた給湯装置のデータ補完方法であって、前記制御装置の記憶手段側の前記データが消失しているか否かを判断し、その判断の後、前記リモコン装置の記憶手段側の前記データが消失しているか否かを判断するステップと、前記制御装置の記憶手段側の前記データが消失している場合には、前記リモコン装置の記憶手段側にあるデータを前記制御装置に転送し、前記制御装置の前記記憶手段のデータを修復するステップと、前記リモコン装置の記憶手段側の前記データが消失している場合には、前記制御装置の記憶手段側にあるデータを前記リモコン装置に転送し、前記リモコン装置の前記記憶手段のデータを修復するステップと、前記制御装置及び前記リモコン装置の双方の前記記憶手段の前記データが消失している場合にはそれを表す告知出力を発するステップとを含むことを特徴とする。斯かる構成によれば、データ消失に基づき、データ修復モードを実行させる。このデータ修復モードでは、データ消失側の制御装置又はリモコン装置に対し、正常側のリモコン装置又は制御装置からデータを転送し、データ修復を行う。この結果、制御装置又はリモコン装置を交換しても、未交換側が保管するデータの転送により、機器の交換前の制御状態に復旧させることができ、しかも、パソコンを接続した特別なデータ修復処理等を必要とすることなく、データ消失前の正常な制御動作を実現することができる。
また、制御装置又はリモコン装置側の記憶手段から制御に必要なデータが消失したとき、そのデータ消失を例えば、リモコン装置側に視覚的又は聴覚的な表示によって告知する。この告知によって、作業者にデータ転送の必要性を認識させることができる。
【０００７】
請求項２に係る本発明の給湯装置のデータ補完方法は、前記制御装置と前記リモコン装置との間で通信を行う通常通信モードとは別に、前記データを送受してデータ補完を行うデータ補完モードを設定し、このデータ補完モードで前記制御装置と前記リモコン装置との間で前記データを授受することにより、消失しているデータに対するデータ補完を行うことを特徴とする。即ち、データ消失に無関係にデータ補完モードを実行させる。このデータ補完モードでは、制御装置及びリモコン装置間でデータの授受を行い、データ補完を実行する。この結果、データ消失に備えて正常なデータを何れかの記憶手段に保持するので、外部からのパソコンによる特別なデータ確認処理等を必要とすることなく、正常且つ信頼性の高い制御動作に寄与することができる。この場合も同様に、制御装置又はリモコン装置を交換しても、未交換側が保管するデータの転送により、機器の交換前の制御状態に復旧させることができる。
【０００９】
請求項３に係る本発明の給湯装置のデータ補完方法は、前記リモコン装置の操作頻度が低い時間帯で前記データ補完モードを実行させることを特徴とする。即ち、リモコン装置の操作頻度の高い時間帯を避けることにより、データ補完動作が通常の給湯制御に与える影響を回避することができる。
【００１０】
請求項４に係る本発明の給湯装置のデータ補完方法は、前記データの記憶手段（ＲＡＭ１０６、１５４、ＥＥＰＲＯＭ１０８、１５８）は、不揮発性メモリ又はバックアップ電源によって消失防止が図られたメモリであることを特徴とする。即ち、停電によるデータ消失を防止でき、正常な制御動作を停電に無関係に行うことができ、安全性の高い制御を実現することができる。
【００１１】
請求項５に係る本発明の給湯装置は、給湯機本体側に設置された制御装置（１８）と、この制御装置と有線又は無線で連係されるリモコン装置（主リモコン装置２０、副リモコン装置２２）とを備えた給湯装置（２）であって、前記制御装置及び前記リモコン装置に個別に設置され、制御に必要な共通のデータを記憶する記憶手段（ＲＡＭ１０６、１５４、ＥＥＰＲＯＭ１０８、１５８）と、前記制御装置及び前記リモコン装置に設置され、前記記憶手段に記憶している前記データの何れか一方が消失したとき、他方から消失側に前記データを転送して補完する制御を行う制御手段（ＣＰＵ１０２）とを備え、前記制御手段は、前記制御装置の記憶手段側の前記データが消失しているか否かを判断し、その判断の後、前記リモコン装置の記憶手段側の前記データが消失しているか否かを判断し、前記制御装置の記憶手段側の前記データが消失している場合には、前記リモコン装置の記憶手段側にあるデータを前記制御装置に転送し、前記制御装置の前記記憶手段のデータを修復し、前記リモコン装置の記憶手段側の前記データが消失している場合には、前記制御装置の記憶手段側にあるデータを前記リモコン装置に転送し、前記リモコン装置の前記記憶手段のデータを修復し、前記制御装置及び前記リモコン装置の双方の前記記憶手段の前記データが消失している場合にはそれを表す告知出力を発することを特徴とする。即ち、データ消失に基づき、データ消失側の制御装置又はリモコン装置に対し、正常側のリモコン装置又は制御装置からデータを転送し、データ修復を行う。この結果、制御装置又はリモコン装置を交換しても、未交換側が保管するデータの転送により、機器の交換前の制御状態に復旧させることができ、パソコンを接続した特別なデータ修復処理等は不要であり、データ消失前の正常な制御動作を実現することができる。
【００１２】
【発明の実施の形態】
図１ないし図３は、本発明の給湯装置のデータ補完方法及び給湯装置の実施の形態を示し、図１は給湯装置及び給湯装置を用いた配管構成、図２は制御装置の構成、図３はリモコン装置の構成を示している。
【００１３】
給湯装置２は、浴槽４への給湯や追焚、シャワー器具への給湯、台所、洗面所の蛇口６への給湯を行うことができる。給湯装置２は浴槽水７の追焚機能を備えており、給湯装置２と浴槽４とは、戻り管８及び往き管１０で連結され、蛇口６は給湯管１２によって給湯装置２と連結されている。また、給湯装置２には燃料ガスＧを供給する燃料管１４、上水Ｗを供給する上水管１６が接続されている。また、給湯装置２には、制御装置１８が設けられ、浴室には主リモコン装置２０が、台所には副リモコン装置２２が設けられ、これらはケーブル２４で連係されているが、ケーブル２４に代えて他の通信媒体である電波、光等の無線を用いてもよい。
【００１４】
給湯装置２では、上水管１６から導入された上水Ｗが加熱手段である給湯用熱交換器２６によって加熱され、給湯管１２より外部へ給湯される。また、給湯管１２から浴槽４側への注湯を行う注湯管２８が分岐され、この注湯管２８から湯が往き管１０に供給される。上水管１６には、上水Ｗの給水量、給水温度を検出する給水量センサ３０と給水温度センサ３２が設けられている。また、給湯管１２には給湯用熱交換器２６からの出湯温度を検出する出湯温度センサ３４が設けられている。さらに、注湯管２８には注水又はその停止を操作する開閉弁３６、ホッパ、バキュームブレーカ等の縁切り装置３８、浴槽４への注水量を検出する注水量センサ４０が設けられている。注水量センサ４０で検出される注湯量を積算し、所定の水量に到達したか否かを監視して浴槽４の水位制御が行われる。注湯管２８は切換弁４２を介して往き管１０に接続されている。切換弁４２によって浴槽４の湯水を戻り管８、往き管１０を介して循環する流路と、注湯管２８から往き管１０を介して浴槽４に至る注水経路とに切り換えることができる。
【００１５】
戻り管８と往き管１０との間には、加熱手段である追焚用熱交換器４４が接続され、戻り管８と往き管１０を循環する浴槽水７が加熱される。戻り管８にはポンプ４６、ポンプ４６の作動によって生じた流水を検出する流水スイッチ４８、浴槽４の湯水温度を検出する温度センサ５０が設置されている。
【００１６】
また、燃料管１４には燃料管５２が分岐され、給湯用熱交換器２６側の燃焼手段であるバーナ５４、追焚用熱交換器４４側の燃焼手段であるバーナ５６に燃料ガスＧが供給される。燃料管１４には元弁５８が設けられ、この元弁５８の開閉によりバーナ５４、５６への燃料ガスＧの供給、閉止を行うことができる。また、燃料管１４には開閉弁６０、燃料比例弁６２が設けられ、元弁５８と開閉弁６０を開くことによりバーナ５４に燃料ガスＧを供給することができ、燃料比例弁６２の動作によってバーナ５４への燃料ガス供給量を制御することができる。燃料管５２には開閉弁６４が設けられ、元弁５８と共に開くことによりバーナ５６の燃焼に必要な燃料ガスＧを供給することができる。バーナ５４、５６の燃焼面には点火装置６６、６８と炎検出器７０、７２が取り付けられ、バーナ５４、５６には個別に設置されたファン７４、７６により燃焼空気が供給され、燃料ガスＧと燃焼空気との混合気を燃焼させている。
【００１７】
給水温度センサ３２、給水量センサ３０の検出値とリモコン装置２０、２２に入力された設定温度、出湯温度センサ３４の検出値によって適切な燃料ガスＧの供給量が演算され、この演算結果に基づき燃料比例弁６２の開度が調整されてバーナ５４の燃焼量が調整される。また、ポンプ４６の駆動によって浴槽４の湯水は追焚用熱交換器４４を流通し、温度センサ５０によって設定温度に昇温したことが検出されるまでバーナ５６の燃焼が継続される。
【００１８】
次に、制御装置１８は、図２に示すように、給湯装置２の燃焼、水位制御等を司る制御演算部１００を備え、この制御演算部１００にはＣＰＵ１０２、ＣＰＵ１０２の動作プログラムや燃焼、制御データを格納したＲＯＭ１０４、制御演算時の一時記憶に使用するＲＡＭ１０６がデータバスを介して連係され、制御演算部１００の中枢を成している。また、制御演算部１００にはデータバスを介して不揮発性メモリであるＥＥＰＲＯＭ１０８、カウンタ１１０、タイマ１１２、入力回路１１４、出力回路１１６、入力回路１１８、出力回路１２０が接続されている。このＥＥＰＲＯＭ１０８には基準データとして機種情報、燃料ガス種、ガス圧値、最大燃焼量、基準水位（水量）、総燃焼時間、総燃焼回数、各種センサ出力値の校正データ、燃料比例弁等の校正データ、故障履歴情報等が記憶保持される。また、入力回路１１４には検出回路１２２が接続され、給水量センサ３０、給水温度センサ３２、出湯温度センサ３４、注水量センサ４０、流水スイッチ４８、温度センサ５０、炎検出器７０、７２が接続されている。また、出力回路１１６には駆動回路１２４が接続され、駆動回路１２４には開閉弁３６、切換弁４２、ポンプ４６、元弁５８、開閉弁６０、燃料比例弁６２、開閉弁６４、点火装置６６、６８、ファン７４、７６が接続されている。また、入力回路１１８及び出力回路１２０には送受信回路１２６が接続され、この送受信回路１２６は、ケーブル２４を介して主リモコン装置２０及び副リモコン装置２２と連係している。
【００１９】
次に、主リモコン装置２０及び副リモコン装置２２は、図３に示すように構成されており、主リモコン装置２０は制御演算部１５０を有し、この制御演算部１５０にはＣＰＵ１５２、一時記憶のためのＲＡＭ１５４、ＣＰＵ１５２の動作プログラムや動作データを格納したＲＯＭ１５６がデータバスを介して連係されている。また、データバスを介して不揮発性メモリであるＥＥＰＲＯＭ１５８、カウンタ１６０、タイマ１６２、入力回路１６４、出力回路１６６、入力回路１６８、出力回路１７０が連係されている。ＥＥＰＲＯＭ１５８には制御装置１８から転送されてきたデータが格納されている。即ち、このＥＥＰＲＯＭ１５８は制御装置１８のデータ記憶手段である。入力回路１６４には検出回路１７２、入力キー１７６が接続され、出力回路１６６には駆動回路１７４、表示器１７８が接続されている。入力キー１７６から動作設定、動作指令が入力され、設定されるデータには給湯温度、追焚温度、水位、保温時間、時刻等があり、動作指令として自動湯張り追焚、浴槽への注湯、注水、追焚に必要なデータ等、各種の制御データがある。表示器１７８には、運転状態、各種設定温度、水位、故障情報、燃焼時間、燃焼回数等の情報が表示される。また、入力回路１６８、出力回路１７０には送受信回路１７６が接続され、この送受信回路１７６は、ケーブル２４を介して制御装置１８、副リモコン装置２２と連係している。
【００２０】
また、副リモコン装置２２は制御演算部２００を有しており、制御演算部２００にはＣＰＵ２０２、一時記憶のためのＲＡＭ２０４、ＣＰＵ２０２の動作プログラムや動作データを格納したＲＯＭ２０６がデータバスを介して連係されている。また、データバスを介してカウンタ２０８、タイマ２１０、入力回路２１２、出力回路２１４、入力回路２１６、出力回路２１８が連係されている。入力回路２１２には検出回路２２０、入力キー２２４が接続され、出力回路２１４には駆動回路２２２、表示器２２６が接続されている。入力キー２２４から動作設定、動作指令を入力することができ、設定されるデータには給湯温度、動作指令として給湯等の各種の制御データがある。表示器２２６には給湯運転、給湯設定温度等の情報が表示される。即ち、副リモコン装置２２は台所等での給湯に使用できる最低限度の機能のみが割り当てられている。また、入力回路２１６及び出力回路２１８には送受信回路２２８が接続され、この送受信回路２２８は、ケーブル２４を介して制御装置１８、主リモコン装置２０と連係している。
【００２１】
次に、図４は、制御装置１８及び主リモコン装置２０について、そのメモリのデータ構成及びメモリ間のデータ転送形態を示したものである。
【００２２】
ＲＡＭ１０６には基準データアドレス群２５０、運転制御情報アドレス群２５２、動作設定情報・動作指令アドレス群２５４等の各アドレス群が割り当てられ、基準データアドレス群２５０には例えばデータＡ、Ｂ、Ｃ、Ｄ、Ｅ、Ｆが格納され、運転制御情報アドレス群２５２には例えばＨ、Ｉ、Ｊ、Ｋ、Ｌ、Ｍが、動作設定情報・動作指令アドレス群２５４にはＯ、Ｐ、Ｑ、Ｒ、Ｓ、Ｔ等が格納されている。したがって、ＣＰＵ１０２は、基準データアドレス群２５０、動作設定情報・動作指令アドレス群２５４に格納されたデータを使用して燃焼、その他の制御を行う。
【００２３】
そして、主リモコン装置２０又は副リモコン装置２２に送出する制御データを運転制御情報アドレス群２５２に格納する。基準データアドレス群２５０のデータは制御動作毎に新規のデータに更新される。更新後のデータはＥＥＰＲＯＭ１０８の基準データアドレス群２５８に転送され、このデータは停電による消失から防護される。また、基準データアドレス群２５０のデータが消失したときは、ＥＥＰＲＯＭ１０８の基準データアドレス群２５８のデータが基準データアドレス群２５０に移送され、補完される。また、ＲＡＭ１０６にはリモコン装置との通信時に送受信データを一時的に格納し、シリアルデータとして編成するための送受信データアドレス群２５６を備えている。
【００２４】
また、主リモコン装置２０のＲＡＭ１５４にも基準データアドレス群２６２、運転制御情報アドレス群２６４、動作設定情報・動作指令アドレス群２６６、送受信データアドレス群２６０が割り当てられ、ＥＥＰＲＯＭ１５８には基準データアドレス群２６８が割り当てられている。基準データはＥＥＰＲＯＭ１５８の基準データアドレス群２６８に転送され、停電による消失から防護される。基準データアドレス群２６２のデータが消失したとき、ＥＥＰＲＯＭ１５８の基準データアドレス群２６８に格納されたデータが補充される。ＣＰＵ１５２は運転制御情報アドレス群２６４に格納されたデータを運転制御情報として表示器１７８に表示する。また、入力キー２２４から入力されたデータは動作設定情報・動作指令アドレス群２６６に格納された後、送受信用データアドレス群２６０を介して制御装置１８へ転送される。
【００２５】
データ補完方法を含むデータ転送について詳述すると、このデータ転送には、通常通信モード、基準データ修復モード、基準データ補完モード、基準データ更新記憶モードの４つの通信モードを含んでいる。
【００２６】
通常通信モードは、制御装置１８が運転制御情報を主リモコン装置２０に送出し、主リモコン装置２０が動作設定情報、動作指令を返送する通信モードである。即ち、ＣＰＵ１０２は運転制御情報を運転制御情報アドレス群２５２に一時記憶させ、送受信用データアドレス群２５６に転送して送受信回路１２６を介して主リモコン装置２０に送出する。主リモコン装置２０は送受信回路１７６を介して得られた運転制御情報を一旦送受信用データアドレス群２６０の受けた後、運転制御情報アドレス群２６４に転送する。次に、ＣＰＵ１５２は動作設定情報、動作指令アドレス群２６６のデータを送受信用データアドレス群２６０に転送し、制御装置１８へ送信する。ＣＰＵ１０２は送受信用データアドレス群２５６に受けたデータを動作設定情報、動作指令アドレス群２５４に格納する。
【００２７】
また、基準データ修復モードは、メモリチェックによって基準データアドレス群２５０及び基準データアドレス群２５８に基準データが格納されていないことを認識したときに動作させるモードであって、例えば、制御装置１８の交換後に実行されるモードである。即ち、ＣＰＵ１０２はリモコン装置２０に基準データを要求する要求データを送受信用データアドレス群２５６に格納し、送受信回路１２６を介して主リモコン装置２０へ送出する。主リモコン装置２０のＣＰＵ１５２は制御装置１８の送受信回路１２６から要求データを受けてＲＡＭ１５４の基準データアドレス群２６２に格納されている基準データを送受信用データアドレス群２６０に転送し、送受信回路１７６から制御装置１８へ送出する。ＣＰＵ１０２は送受信用データアドレス群２５６に一時記憶された基準データを基準データアドレス群２５０とＥＥＰＲＯＭ１０８の基準データアドレス群２５８に転送し、データ補完が行われる。
【００２８】
基準データ補完モードは、メモリチェックによって基準データアドレス群２６２及び基準データアドレス群２６８に基準データが格納されていないことを認識したときに動作させるモードであって、例えば、主リモコン装置２０の交換後に実行されるモードである。即ち、ＣＰＵ１５２は制御装置１８に基準データを要求する要求データを送受信用データアドレス群２６０に格納し、送受信回路１７６を介して制御装置１８へ送出する。制御装置１８のＣＰＵ１０２はこれを受けてＲＡＭ１０６の基準データアドレス群２５０に格納されている基準データを送受信アドレス２５６に転送し、送受信回路１２６から主リモコン装置２０へ送出する。ＣＰＵ１５２は送受信用データアドレス群２６０に一時記憶された基準データを基準データアドレス群２６２とＥＥＰＲＯＭ１５８の基準データアドレス群２６８に転送し、データ補完が行われる。
【００２９】
そして、基準データ更新記憶モードは、制御装置１８が保持する現在の基準データ（最新データ）を主リモコン装置２０に転送し、ＥＥＰＲＯＭ１５８に更新記憶させるバックアップモードである。即ち、ＲＡＭ１０６の基準データアドレス群２５０に格納されたデータは、定期的に主リモコン装置２０に転送される。データの転送はリモコン装置２０の操作や制御装置１８の動作を阻害しない時間帯を選んで実行する。主リモコン装置２０のＣＰＵ１５２はバックアップ体制が整うと、バックアップの受け入れ信号を送受信用データアドレス群２６０に格納し、制御装置１８に送信する。制御装置１８のＣＰＵ１０２は、これを受けて基準データアドレス群２５０に格納されたデータを主リモコン装置２０に送信する。主リモコン装置２０は受領した基準データをもってＲＡＭ１５４の基準データアドレス群２６２とＥＥＰＲＯＭ１５８の基準データアドレス群２６８に格納されているデータの上から基準データを書き換えて更新する。
【００３０】
次に、データ補完方法を図５の動作フローチャートを参照して説明すると、制御装置１８又は主リモコン装置２０の修理が終了し、商用電源の通電後、ステップＳ１では制御装置１８のＣＰＵ１０２がＲＯＭ１０４のプログラムに従い、ＲＡＭ１０６の基準データアドレス群２５０及びＥＥＰＲＯＭ１０８の基準データアドレス群２５８のメモリチェックを実行する。また、主リモコン装置２０のＣＰＵ１５２がＲＯＭ１５６のプログラムに従い、ＲＡＭ１５４の基準データアドレス群２６２及びＥＥＰＲＯＭ１５８の基準データアドレス群２６８のメモリチェックを実行する。
【００３１】
ステップＳ２では、制御装置１８側の基準データが消失していたか否かが判定される。消失していないときはステップＳ３に移行し、主リモコン装置２０側の基準データが消失していたか否かが判定される。消失していないときはステップＳ８に移行し、消失していたときは主リモコン装置２０はデータ要求信号を送出し、ステップＳ４に移行して基準データ補完モードが実行される。
【００３２】
ステップＳ４では、主リモコン装置２０が交換されたか否かに無関係に制御装置１８のＲＡＭ１０６に格納された基準データが主リモコン装置２０のＲＡＭ１５４とＥＥＰＲＯＭ１５８に転送される。
【００３３】
ステップＳ２で制御装置１８側の基準データが消失していたときは、制御装置１８は主リモコン装置２０に対してデータ要求信号を送出する。ステップＳ５に移行して主リモコン装置２０側の基準データが消失しているか否かが判定される。主リモコン装置２０側の基準データが消失していなければステップＳ６に移行する。
【００３４】
ステップＳ６では、制御装置１８からのデータ要求信号に基づき基準データ修復モードが実行される。主リモコン装置２０のＲＡＭ１５４に格納された基準データは制御装置１８のＲＡＭ１０６及びＥＥＰＲＯＭ１０８に転送される。
【００３５】
そして、ステップＳ５で主リモコン装置２０側の基準データが消失していた時は、ステップＳ７に移行する。ステップＳ７では例えば、制御装置１８及び主リモコン装置２０の双方が交換され、何れも基準データを有せず、動作不能状態の場合がある。この場合には、制御装置１８及び主リモコン装置２０の双方から基準データを要求する信号が送出される。主リモコン装置２０側では所定時間経過しても基準データの転送が無いときは、警告音、警告音声、ＬＥＤ等の点滅、エラー表示等によって報知する。作業者はこの報知によって基準データが無いことを認識し、取り外した主リモコン装置２０又は制御装置１８を一旦接続してデータ転送を完了させることができる。
【００３６】
ステップＳ８では通常通信モードに移行する。この場合、主リモコン装置２０に入力された指令に基づき給湯制御動作が実行される。
【００３７】
ステップＳ９ではリモコン操作の頻度が少ない時間帯に到達したか否かが判定される。ＹＥＳのときはステップＳ１０に移行し、基準データ更新記憶モードが実行される。このとき、給湯動作が実行されているか否かも判定され、動作中の場合、例えば、１時間後にステップＳ１０に移行して基準データ更新記憶モードが実行される。
【００３８】
基準データ更新モードでは、例えば、図６に示すように、タイムスケジュールが実行される。即ち、この基準データ更新モードでは、給湯装置が動作していない時間帯を選んでのデータ転送の実行が望ましい。通常、給湯装置２は浴槽４への湯張り、追焚が終了してから最長４時間の保温時間を想定している。この保温時間は通常の生活パターンを目安としており、基準データ更新モードの実行は保温時間終了を基準とし、例えば、保温運転終了後から１時間後を目安に基準データ更新モードを実行する。このようにすれば、給湯運転に支障を来すことがなく、動作の信頼性を高めることができる。
【００３９】
なお、基準データ更新モードは、保温運転終了から任意の時間を設定しても良く、保温時間帯の終了前に給湯装置を終了させたときには、その終了時刻を基準に任意の時間経過後に実行させてもよく、また、一般的に就寝の時間帯を選択して実行させてもよく、また、給湯装置の使用時間帯の学習により使用頻度の低い時間帯を選択して実行させてもよいことは勿論である。
【００４０】
【発明の効果】
以上説明したように、本発明によれば、次の効果が得られる。
ａ  制御装置又はリモコン装置の全部又は一部が交換された場合等、制御に必要なデータが消失したとき、正常なリモコン装置又は制御装置に保存されているデータから必要なデータを修復することができ、パソコン操作による特別なデータ修復処理を必要とすることなく、正常な制御状態に復旧させることができる。
ｂ  制御に必要なデータを制御装置とリモコン装置との間で定期的に授受することによりデータ補完を行うので、正常なリモコン装置又は制御装置から必要なデータを常に補完することができ、特別なパソコン操作によるデータ修復処理を必要とすることなく、正常な制御状態を維持でき、制御の信頼性を高めることができる。
【図面の簡単な説明】
【図１】本発明の給湯装置のデータ補完方法及び給湯装置の実施形態である給湯装置を示す配管構成図である。
【図２】給湯装置の制御装置の構成を示す図である。
【図３】給湯装置のリモコン装置の構成を示す図である。
【図４】メモリのデータ構成及びメモリ間のデータ転送形態を示す図である。
【図５】  本発明の給湯装置のデータ補完方法の実施形態を示す動作フローチャートである。
【図６】基準データ更新モードのタイムスケジュールを示す図である。
【符号の簡単な説明】
２  給湯装置
４  浴槽
１８  制御装置
２０  主リモコン装置（リモコン装置）
２２  副リモコン装置（リモコン装置）
１０２  ＣＰＵ（制御手段）
１０６  ＲＡＭ（記憶手段）
１０８  ＥＥＰＲＯＭ（記憶手段）
１５４  ＲＡＭ（記憶手段）
１５８  ＥＥＰＲＯＭ（記憶手段）
【図１】
0003964603.tif 000002
【図２】
0003964603.tif 000003
【図３】
0003964603.tif 000004
【図４】
0003964603.tif 000005
【図５】
0003964603.tif 000006
【図６】
0003964603.tif 000007